(57)【要約】【課題】本発明は、多数のＬＥＤを配置した長尺のＬＥＤ基板が透光性管体内の長手方向に収納され、管体の端部に端子部を有する端部キャップを備えたＬＥＤ照明装置において、照明領域の照明の色を変更する場合や、照明領域の明るさを変える場合、電気的に行なうのではなく、管体の回動によって容易に行なうことができる技術を提供するものである。【解決手段】管体は、長手方向の上半部と下半部が異なる透光性を有するように区分された一体成形の合成樹脂製筒であり、ＬＥＤ基板が管体の両端の端部キャップに固定された状態で、管体が端部キャップに回動可能に支持されており、管体の回動によって、上半部と下半部のいずれが照明側面に対応するかを選択可能としたこと。【選択図】図８
2012009363.tif 000002
【特許請求の範囲】
【請求項１】
多数のＬＥＤを照明側面に配置した長尺のＬＥＤ基板が管体内の長手方向に延在するよう収納され、ソケット部に嵌合装着される端子部を備えた端部キャップが前記管体の両端に取り付けられ、前記端子部を通して前記ＬＥＤへ電力が供給されるＬＥＤ照明装置において、
前記管体は、長手方向の上半部と下半部が異なる透光性を有するように区分された一体成形の合成樹脂製筒であり、
前記ＬＥＤ基板が前記管体の両端の端部キャップに固定された状態で、前記管体が前記管両端の端部キャップに回動可能に支持されており、
前記管体の回動によって、前記上半部と下半部のいずれが前記照明側面に対応するかを選択可能としたことを特徴とするＬＥＤ照明装置。
【請求項２】
前記上半部と下半部が異なる透光性色彩で色分けされたことを特徴とする請求項１に記載のＬＥＤ照明装置。
【請求項３】
前記上半部と下半部が異なる拡散度を有するように区分されたことを特徴とする請求項１に記載のＬＥＤ照明装置。
【発明の詳細な説明】
【技術分野】
【０００１】
本発明は、多数のＬＥＤ（発光ダイオード）を配置した長尺帯板状の基板が管体内に収納されたＬＥＤ照明装置に関し、特に、明るさ、色彩等を変更可能な構造としたＬＥＤ照明装置に関する。
【背景技術】
【０００２】
透明または半透明の管体１内に、多数のＬＥＤを配置した長尺のＬＥＤ実装基板３と、ＬＥＤ実装基板３を取り付ける回路基板５が、管体１の長手に延在するように設けられ、管体１の両端には、管体１内部を閉塞するような状態で口金９が取り付けられ、口金９には、従来の直管形蛍光灯の取り付け用ソケット部に嵌合装着される端子部１０が取り付けられ、回路基板５と端子部１０は、リード線によって電気的に接続された、直管形ＬＥＤ照明装置がある（特許文献１参照）。
【先行技術文献】
【特許文献】
【０００３】
【特許文献１】特開２０１０−４４９２０号公報
【発明の概要】
【発明が解決しようとする課題】
【０００４】
特許文献１のように、長尺のＬＥＤ実装基板３の片面に多数のＬＥＤを配置した構成では、ＬＥＤの照射角度が略１２０度であり、これを例えば天井に取り付けた従来の直管形蛍光灯の取り付け用ソケット部に嵌合装着する場合、その照射方向は下方に向いた一定状態となる。この状態で、管体１は透明または半透明であるため、照射される領域の明るさや色彩は一定である。
【０００５】
照射される領域の色彩を変える場合、発光色の異なるＬＥＤを使用して、発光させるＬＥＤを電気的に選択して発光色を変えることはできるが、通常照明のための白色ＬＥＤの他に、発光色の異なるＬＥＤを使用する必要があり、電気回路を含めてコストアップとなる。また、、照明領域の明るさを変える場合、ＬＥＤへ供給する電圧を電気的に変更する方法もあるが、切り替えスイッチを含めてコストアップとなる。
【０００６】
本発明は、このような点に鑑み、照明領域の照明の色を変更する場合や、または、照明領域の明るさを変える場合、このように電気的に行なうのではなく、管体の回動によって容易に行なうことができる技術を提供するものであり、特に管体が一重の場合において、照明領域の照明の色または明るさの変更が容易に行なえる技術を提供するものである。
【課題を解決するための手段】
【０００７】
第１発明は、多数のＬＥＤを照明側面に配置した長尺のＬＥＤ基板が管体内の長手方向に延在するよう収納され、ソケット部に嵌合装着される端子部を備えた端部キャップが前記管体の両端に取り付けられ、前記端子部を通して前記ＬＥＤへ電力が供給されるＬＥＤ照明装置において、
前記管体は、長手方向の上半部と下半部が異なる透光性を有するように区分された一体成形の合成樹脂製筒であり、
前記ＬＥＤ基板が前記管体の両端の端部キャップに固定された状態で、前記管体が前記管両端の端部キャップに回動可能に支持されており、
前記管体の回動によって、前記上半部と下半部のいずれが前記照明側面に対応するかを選択可能としたことを特徴とする。
【０００８】
第２発明は、第１発明において、前記上半部と下半部が異なる透光性色彩で色分けされたことを特徴とする。
【０００９】
第３発明は、第１発明において、前記上半部と下半部が異なる拡散度を有するように区分されたことを特徴とする。
【発明の効果】
【００１０】
第１発明によって、ＬＥＤ基板は管体の両端の端部キャップに固定された状態であるため、管体の回動に関わらず、端部キャップがソケットに装着された状態で、ＬＥＤへ安定的に電力供給ができる。
【００１１】
第２発明では、管体の回動によって、上半部と下半部のいずれが照明側面に対応するかによって、照明領域の照明の色を変更することができるため、例えば、上半部を白色透明とし下半部を透光性オレンジ色とすれば、オレンジ色照明とする場合は、透光性オレンジ色の下半部を照明側面に対応するように管体を回動させればよく、通常照明にする場合は、白色透明の上半部を照明側面に対応するように管体を回動させればよい。
【００１２】
第３発明では、管体の回動によって、上半部と下半部のいずれが照明側面に対応するかによって、ＬＥＤから照明領域へ達する光の拡散度が変えられるため、例えば、上半部の拡散度を小さくしてＬＥＤからの光の眩しさが強い状態とし、下半部の拡散度を大きくしてＬＥＤからの光の眩しさが弱い状態とした場合、強い光が欲しい場合は上半部を照明側面に対応するように管体を回動させればよく、また、柔らかい光が欲しい場合は下半部を照明側面に対応するように管体を回動させればよい。
【図面の簡単な説明】
【００１３】
【図１】本発明に係るＬＥＤ照明装置の外観図である。
【図２】本発明に係るＬＥＤ照明装置の管体内に収納した基板の状態説明図である。
【図３】図２のＹ方向から見た管体内に収納したＬＥＤ基板の状態説明図である。
【図４】本発明に係るＬＥＤ照明装置の端部キャップと管体内に収納した基板との関係を示す斜視図である。
【図５】本発明に係るＬＥＤ照明装置の端部キャップのリード線の配置状態とＬＥＤ基板の支持部の関係を示す斜視図である。
【図６】本発明に係るＬＥＤ照明装置の端部キャップと管体と関係図である。
【図７】本発明に係るＬＥＤ照明装置の端部キャップ内のリード線の配置状態とＬＥＤ基板の支持部の関係を示す図である。
【図８】図７のＡ−Ａ断面図である。
【図９】本発明に係るＬＥＤ照明装置の端部キャップ、ＬＥＤ基板及び管体の関係を示す分解斜視図である。
【図１０】本発明に係るＬＥＤ照明装置をグロー管点灯方式の直管形蛍光灯照明装置に置換する場合の結線図である。
【図１１】本発明に係るＬＥＤ照明装置をラピッドスタート点灯方式の直管形蛍光灯照明装置に置換する場合の結線図である。
【図１２】本発明に係るＬＥＤ照明装置を専用ソケットに取り付ける場合の結線図である。
【発明を実施するための形態】
【００１４】
本発明は、多数のＬＥＤを照明側面に配置した長尺のＬＥＤ基板が管体内の長手方向に延在するよう収納され、ソケット部に嵌合装着される端子部を備えた端部キャップが前記管体の両端に取り付けられ、前記端子部を通して前記ＬＥＤへ電力が供給されるＬＥＤ照明装置において、前記管体は、長手方向の上半部と下半部が異なる透光性を有するように区分された一体成形の合成樹脂製筒であり、前記ＬＥＤ基板が前記管体の両端の端部キャップに固定された状態で、前記管体が前記管両端の端部キャップに回動可能に支持されており、前記管体の回動によって、前記上半部と下半部のいずれが前記照明側面に対応するかを選択可能としたものであり、以下に本発明の実施例を記載する。
【実施例１】
【００１５】
本発明に係るＬＥＤ照明装置１は、従来使用されている直管形蛍光灯照明装置の直管形蛍光灯に代わって、そのソケット（図１０〜図１１に点線で示す）に取り付けられるようにすることを一つの目的とするものであるが、これに限定されず、本発明に係るＬＥＤ照明装置１を取り付ける専用のソケット１２（図１２に点線で示す）を備える照明器具にも適用可能な照明装置となるものである。
【００１６】
以下に本発明に係るＬＥＤ照明装置１を図に基づき説明する。ＬＥＤ照明装置１は、多数の白色ＬＥＤ（発光ダイオード）２を配置した長尺のＬＥＤ基板３が少なくとも一部が透光性である直管形管体４内の長手方向（管体４の長軸方向）に延在するよう収納され、従来使用されている直管形蛍光灯照明装置等のソケット部１２（図１０〜図１２に点線で示す）に嵌合装着される端子部５を備えた端部キャップ６が管体４の両端に取り付けられ、端子部５に半田付けされたリード線７を介してＬＥＤ２へ所定の電力が供給され、ＬＥＤ２が発光するものである。
【００１７】
管体４内には、ＬＥＤ基板３の他にＬＥＤ駆動用回路基板８が収納されている。ＬＥＤ基板３は平板状の合成樹脂製であり、その片側面（図２では下側面）が照明側面３Ｐとなるように多数のＬＥＤ２が配置されており、照明側面３Ｐの反対側となる他方側面（裏面）には、ＬＥＤ２へ電力供給する電気回路素子を取り付けた平板状のＬＥＤ駆動用回路基板８が、ＬＥＤ基板３と並行状態にＬＥＤ基板３に取り付けられている。実施例では図１乃至図３に示すように、ＬＥＤ照明装置１は、部屋の天井部分等に取り付けられて下方を照明する状態を示しており、ＬＥＤ基板３の下側面が照明側面３Ｐとなるように配置された構成である。
【００１８】
ＬＥＤ基板３の照明側面３Ｐには、一列に電気的に直列接続された多数のＬＥＤ２が直線状に配列される状態でもって、全部で３０６個の白色ＬＥＤ２が３列に所定間隔でもって配置されている。実施例で示すＬＥＤ照明装置１は、長さＬが略１２００ｍｍであり、この長さに対応する長さのＬＥＤ基板３を１枚の基板で形成することは、コスト的にもアップするため、実施例では３枚の単位基板Ａ、Ｂ、Ｃが直列接続されてＬＥＤ基板３を構成している。このため、単位基板Ａ、Ｂ、Ｃにはそれぞれ１列３４個の白色ＬＥＤ２が３列に所定間隔でもって配置された状態であり、単位基板Ａ、Ｂ、Ｃの各列のＬＥＤ２は、電気的に直列接続されて、全体として３０６個のＬＥＤ２が３列構成である。
【００１９】
管体４は、ＬＥＤ２の発光が透過するために、透光性の合成樹脂材（ポリカーボネート、アクリル等）で円筒形状に成形されている。本発明は、管体４の回動によって照明領域の明るさ、色彩等を変更可能とするものであり、管体４は、長手方向の上半部４Ｕと下半部４Ｄが異なる透光性を有するように区分するために、図１に一点鎖線で示す線ＰＬから上方領域４Ｕと線ＰＬから下方領域４Ｄが、明るさ、色彩等を変えた構成である。管体４は、上方領域４Ｕと下方領域４Ｄが一体成形される合成樹脂材の押し出し成形または引き抜き成形で形成された円筒状またはそれに近い筒状であるが、上方領域４Ｕと下方領域４Ｄがそれぞれ半円筒状に別個に形成されたものが組み合わされて円筒状をなすものであってもよい。
【００２０】
本発明は、管体４の回動によって照明領域の明るさ、色彩等を変更可能とするものであるため、ＬＥＤ基板３の長尺側両端部３Ｂは、管体４の両端に配置される端部キャップ６に固定された状態であり、管体４は、管体４の両端に配置される端部キャップ６の環状取り付け部６Ｂに対して回動可能な支持状態である。
【００２１】
端部キャップ６は、円筒状の管体４に合わせるために、電気絶縁材である合成樹脂材でもって円筒状に形成されている。端子部５は、電気絶縁材の端子支持部材１４に取り付けられた状態で、端子側コネクタ１１Ｂを備えたリード線７の一端と半田付けにて接続される。端部キャップ６への端子支持部材１４の取り付けは、端子支持部材１４と一体に組み合わせたカップ状の金属製外観部材１４Ａが、端部キャップ６の外側端の環状取り付け部６Ａの外面に接着にて行なわれる。
【００２２】
図４に示すように、電気回路素子Ｓを取り付けたＬＥＤ駆動用回路基板８の幅Ｔ１は、ＬＥＤ基板３の幅Ｔ２よりも小さく設定され、ＬＥＤ駆動用回路基板８の幅Ｔ１の両側に、ＬＥＤ基板３の長尺方向に並行に延びた長尺端縁３Ａが存在する配置でもって、ＬＥＤ駆動用回路基板８をＬＥＤ基板３の裏側に取り付けている。
【００２３】
ＬＥＤ基板３と端部キャップ６との結合のために、端部キャップ６の環状取り付け部６Ｂには、その内側部分に一対の支持溝６Ｄがリブ６Ｆ間に形成されている。この支持溝６ＤにＬＥＤ基板３の両側の長尺側端部３Ｂが接着にて結合された状態で、管体４は端部キャップ６の環状取り付け部６Ｂに回動可能に支持された状態となる。
【００２４】
このような構成を達成するために、以下に、ＬＥＤ基板３、管体４、及び端部キャップ６の組み立てについて説明する。
【００２５】
ＬＥＤ基板３と端部キャップ６との結合に際し、先ず基板側コネクタ１１Ａと端子側コネクタ１１Ｂとを結合させて、ＬＥＤ基板３の長尺側両端側に端部キャップ６を配置させる。この状態で、ＬＥＤ基板３の一方の長尺側端部３Ｂを、一方の端部キャップ６の支持溝６Ｄに嵌め合わせ、この部分で接着またはネジ結合にて結合する。この結合後、ＬＥＤ基板３の他方の長尺側端部３Ｂ側から、管体４内にＬＥＤ基板３が収納される関係で組み合わせ、管体４の一端部がＬＥＤ基板３と結合されている端部キャップ６の環状取り付け部６Ｂの外面に嵌め合わせる。次に、管体４の他端部を他方の端部キャップ６の環状取り付け部６Ｂの外面に嵌め合わせる関係にて、ＬＥＤ基板３の他方の長尺側端部３Ｂを、他方の端部キャップ６の支持溝６Ｄに嵌め合わせ、この他方の長尺側端部３Ｂと他方の端部キャップ６の支持溝６Ｄとを接着結合する。
【００２６】
この組み合わせによって、ＬＥＤ基板３は管体４内に収納された状態でもって、管体４は端部キャップ６の環状取り付け部６Ｂに回動可能に支持された状態となる。端部キャップ６の環状取り付け部６Ｂに対する管体４の回動位置決めを行なうために、端部キャップ６と管体４とに位置決め手段が設けられている。この位置決め手段の一つとして、図７等に示すように、管体４の内面には一条の突起１９が管体４の管軸方向に成形されており、環状取り付け部６Ｂには左右対称位置に嵌合溝１８が形成されている。これによって、管体４の１８０度回動ごとに、突起１９が嵌合溝１８に嵌合し、その時点で上半部４Ｕまたは下半部４Ｄが照明側面３Ｐに対応する状態に管体４が位置決めされる。
【００２７】
ＬＥＤ照明装置１が、照明領域の明るさを変更するものでは、上半部４Ｕと下半部４Ｄが異なる拡散度を有するように区分された管体４となる。このため、上半部４Ｕの拡散度を小さくしてＬＥＤ２からの光の眩しさが強い状態とし、下半部４Ｄの拡散度を大きくしてＬＥＤ２からの光の眩しさが弱い状態とした場合、強い光が欲しい場合は上半部を照明側面３Ｐに対応するように管体４を回動させればよく、また、柔らかい光が欲しい場合は下半部４Ｄを照明側面３Ｐに対応するように管体４を回動させればよい。
【００２８】
また、ＬＥＤ照明装置１が、照明領域の色彩を変更するものでは、上半部４Ｕと下半部４Ｄが異なる透光性色彩で色分けされた管体４となる。このため、上半部４Ｕを白色透明とし下半部４Ｄを透光性オレンジ色とすれば、オレンジ色照明とする場合は、透光性オレンジ色の下半部４Ｄを照明側面に対応するように管体を回動させればよく、通常照明にする場合は、白色透明の上半部４Ｕを照明側面に対応するように管体を回動させればよい。
【００２９】
ＬＥＤ基板３の長尺側両端部に端部キャップ６が結合され、両側の端部キャップ６の管体４が回動可能に支持された構成であるため、ＬＥＤ照明装置１が長尺になってＬＥＤ基板３が撓めば、直線性が得られなくなり、管体４のスムースな回動を得難くなる。これを防止するために、例えば、図８に示すように、照明側面３Ｐの反対側となる他方側面（裏面）に配置した剛性の補助支持部材１７でもって、両側の端部キャップ６を結合した構成とすれば、ＬＥＤ基板３の直線性を保つことが有効となり、直線軸上で管体４を回動させることができるため、管体４のスムースな回動が得られるものとなる。
【００３０】
管体４の両端部に配置された端部キャップ６の端子部５は、それぞれ２本のピンを備えたものであるが、これは従来使用されている直管形蛍光灯照明装置のソケット部１２（図１０〜図１２に点線で示す）に嵌合装着されるための構成となっているためである。このため、直管形蛍光灯に替えてＬＥＤ照明装置１を直管形蛍光灯照明装置のソケット部１２に嵌合装着する場合において、直管形蛍光灯の点灯がグロー管方式であった場合は、図１０に示すように、グロー管を取り外すと共に、安定器への配線は×印で示すように切り離した状態でもって、新たなバイパス結線１３を結線する。この状態で、ＬＥＤ照明装置１をソケット部１２に嵌合装着すれば、商用交流電力ＡＣがこのバイパス結線１３を通して、管体４の一方側（図１０の左方側）の端子部５の２本のピンのうちのいずれか一方と、管体４の他方側（図１０の右方側）の端子部５の２本のピンのうちのいずれか一方とに供給されるものとなる。
【００３１】
また、直管形蛍光灯の点灯がグロー管方式でないラピッドスタート方式の場合は、図１１に示すように、安定器への配線は×印で示すように切り離した状態でもって、新たなバイパス結線１３を結線する。この状態で、ＬＥＤ照明装置１をソケット部１２に嵌合装着すれば、商用交流電力ＡＣがこのバイパス結線１３を通して、管体４の一方側（図１１の左方側）の端子部５の２本のピンのうちのいずれか一方と、管体４の他方側（図１１の右方側）の端子部５の２本のピンのうちのいずれか一方に供給されるものとなる。
【００３２】
図１２には、ＬＥＤ照明装置１の専用ソケット方式を示している。この場合は、ＬＥＤ照明装置１を専用ソケット部１２に嵌合装着すれば、商用交流電力ＡＣが専用ソケット部１２から、管体４の一方側（図１２の左方側）の端子部５の２本のピンのうちのいずれか一方と、管体４の他方側（図１２の右方側）の端子部５の２本のピンのうちのいずれか一方とに供給される配線である。
【００３３】
このようにしてＬＥＤ照明装置１の両端の端子部５へ供給される商用交流電力ＡＣによって、ＬＥＤ２が発光するようにするために、ＬＥＤ２へ電力供給する電気回路素子Ｓを取り付けたＬＥＤ駆動用回路基板８が設けられている。ＬＥＤ駆動用回路基板８には、左右の端子部５にそれぞれリード線７側の端子側コネクタ１１Ｂと接続される基板側コネクタ１１Ａが配置され、これらの基板側コネクタ１１Ａと端子側コネクタ１１Ｂが接続された状態で、左右の端子部５からリード線７を介して商用交流電力ＡＣが、ＬＥＤ駆動用回路基板８の電気回路素子Ｓに供給される。この電気回路素子として、ＬＥＤ駆動用回路基板８には、この左右の端子部５からリード線７を介して供給される商用交流電力ＡＣを整流して所定の直流ＤＣとするための整流回路を含むＡＣ／ＤＣ変換回路部９と、ＡＣ／ＤＣ変換回路部９から供給される直流ＤＣを所定電圧としてＬＥＤ２に供給する電圧制御部１０を備えている。
【００３４】
上記のように、ＬＥＤ基板３、管体４、及び端部キャップ６の組み立てにおいて、リード線７が引っ張られたり、撓んだり、捩じれたりした場合、その作用力がリード線７と端子部５との半田付け箇所に直接掛かれば、この半田付け箇所が剥がれたり、接触不良状態になったり等、電気的接続不良が生じる。また、端子側コネクタ１１Ｂを取り付けたリード線７が端子部５に半田付けされた状態で、上記のような組立作業の準備中や運搬中に、引っ張いや捩じれ等による作用力が半田付け箇所に掛かった場合も、同様に電気的接続不良が生じる虞がある。このような事態にならないようにする技術を以下に記載する。
【００３５】
図５、図７、図８等に示すように、端部キャップ６の内側には、環状取り付け部６Ｂで囲まれた内方領域には、環状取り付け部６Ｂから突出しない範囲で、リード線７の途中を屈曲係止する係止部１５を備え、この屈曲係止によってリード線７と端子部５との半田付け箇所へ掛かるリード線７の引っ張りや撓み等の作用力を吸収するようにしている。
【００３６】
係止部１５は、向かい合った一対の第１係止部１５Ａ、１５Ａと、第２係止部１５Ｂ、１５Ｂによって構成している。第１係止部１５Ａ、１５Ａは、端部キャップ６内の内外隔壁１６に形成した孔１６Ａに端部に形成され、この孔１６Ａに臨むように第２係止部１５Ｂ、１５Ｂが形成されている。このため、端子部５から延びた２本のリード線７は、それぞれ孔１６Ａの近傍で内外隔壁１６を貫通して第２係止部１５Ｂ、１５Ｂに係止するように屈曲して後、端子側コネクタ１１Ｂへ延びる。この状態で、図８に示すように、２本のリード線７はそれぞれ第１係止部１５Ａ、１５Ａに係止すると共に孔１６Ａに一部が侵入する状態で、第２係止部１５Ｂ、１５Ｂに係止した状態となる。第１係止部１５Ａ、１５Ａと、第２係止部１５Ｂ、１５Ｂへのリード線７の係止は、第２係止部１５Ｂ、１５Ｂ間からリード線７を屈曲させつつ挿入係止することによって達成できる。
【００３７】
第１係止部１５Ａ、１５Ａと、第２係止部１５Ｂ、１５Ｂへのリード線７の係止は、第２係止部１５Ｂ、１５Ｂ間からリード線７を屈曲させつつ、図５に矢印Ｑで示す方向へ挿入係止することによって達成できる。
【００３８】
これによって、端子側コネクタ１１Ｂ側へリード線７が引っ張られても、主として第２係止部１５Ｂに係止するため、この引っ張り作用力がこの部分で吸収されて、端子部５との半田付け箇所へ掛かることがないか抑制される。
また、端子側コネクタ１１Ｂ側から端子部５方向へリード線７が撓んでも、主として第２係止部１５Ｂに押し圧係止するため、この撓み作用力がこの部分で吸収されて、端子部５との半田付け箇所へ掛かることがないか抑制される。また、リード線７が捩じれた場合には、第１係止部１５Ａ、１５Ａ及び第２係止部１５Ｂ、１５Ｂのいずれかまたは双方によって、この捩じれ作用力がこの部分で吸収されて、端子部５との半田付け箇所へ掛かることがないか抑制される。
【００３９】
図８に示すように、第１係止部１５Ａ、１５Ａと、第２係止部１５Ｂ、１５Ｂへリード線７を係止した状態で、２本のリード線の途中がＳ字状屈曲となる状態で係止されることにより、リード線７の引っ張り、撓み、捩じれによる作用力の吸収は、更に良好な効果を得ることができる。
【００４０】
また、上記のようなリード線７の引っ張り、撓み、捩じれによる作用力の吸収は、内外隔壁１６に形成した孔１６Ａが存在しない構成でも差し支えないが、この孔１６Ａの存在によって、更に良好な効果を得ることができる。また、この孔１６Ａに相当する部分で隔壁１６が端子部５側へ窪んでいても、この係止部１５に部分で２本のリード線の途中がＳ字状屈曲となる状態で係止されることとなり、同様の効果を得ることができる。
【００４１】
上記のように、ＬＥＤ基板３、管体４、及び端部キャップ６が組み立てられた状態で、図８に示すように、ＬＥＤ基板３の長尺側端部３Ｂが、端部キャップ６の支持溝６Ｄの底面となるストッパ部６Ｅに当接することにより、環状取り付け部６Ｂで囲まれた内方領域において、ＬＥＤ基板３の長手方向端部３Ｂが、係止部１５によって屈曲係止されたリード線７の屈曲部に当接しない状態となる。このため、ＬＥＤ基板３の長手方向移動がストッパ部６Ｅによって制限され、運搬中などでＬＥＤ基板３が移動してリード線７の被覆損傷等引き起こすことがなくなる。
【００４２】
管体４の回動は、手動式でもよいが、ＬＥＤ照明装置１が部屋の天井に取り付けられる場合等では、その回動操作がし難いので、電動式とすることもできる。この電動式の場合は、端部キャップ６の外面部分に電動機を取り付け、この電動機の回転軸の回転を減速歯車機構によって管体４を低速回転させるようにすればよい。この場合、リモートコントローラによってこの電動機の運転を制御する方式とすれば便利である。この電動機の回転によって、管体４が一方向へ１８０度ずつ回転する方式と、管体４が一方向へ１８０度し次に逆方向へ１８０度回転する方式のいずれの方式でもよい。これによって、上記のように照明領域の明るさや色彩を変更することができる。なお、この電動式の場合は、突起１９と嵌合溝１８による位置決め手段は省略できる。
【産業上の利用可能性】
【００４３】
本発明に係るＬＥＤ照明装置は、上記実施例に示した構成に限らず、その他の形態にも本発明の技術が適用できるものであり、本発明の技術範囲において種々の形態のＬＥＤ照明装置を包含するものである。
【符号の説明】
【００４４】
１・・・・・ＬＥＤ照明装置
２・・・・・ＬＥＤ
３・・・・・ＬＥＤ基板
３Ａ・・・・照明側面
３Ｂ・・・・ＬＥＤ基板３の長手方向端部
３Ｐ・・・・照明側面
４・・・・・管体
４Ａ・・・・溝
４Ｂ・・・・リブ
５・・・・・端子部
６・・・・・端部キャップ
６Ｂ・・・・環状取り付け部
６Ｄ・・・・支持溝
６Ｅ・・・・ストッパ部
７・・・・・リード線
８・・・・・ＬＥＤ駆動用回路基板
９・・・・・ＡＣ／ＤＣ変換回路部
１０・・・・電圧制御部
１１Ａ・・・基板側コネクタ
１１Ｂ・・・端子側コネクタ
１２・・・・ソケット
１３・・・・バイパス線
１５・・・・係止部
１５Ａ・・・第１係止部
１５Ｂ・・・第２係止部
１６・・・・隔壁
１６Ａ・・・孔
１７・・・・補助支持部材
１８・・・・嵌合溝
１９・・・・突起
【図１】
2012009363.tif 000003
【図２】
2012009363.tif 000004
【図３】
2012009363.tif 000005
【図４】
2012009363.tif 000006
【図５】
2012009363.tif 000007
【図６】
2012009363.tif 000008
【図７】
2012009363.tif 000009
【図８】
2012009363.tif 000010
【図９】
2012009363.tif 000011
【図１０】
2012009363.tif 000012
【図１１】
2012009363.tif 000013
【図１２】
2012009363.tif 000014